(57)【要約】【課題】浴槽の下部に浴槽防水パンが配置される浴室ユニットにおいて、浴槽のまたぎ高さを低く抑えつつ、且つ遠隔排水栓装置のワイヤー部を予め浴槽に接続した状態で浴槽を設置できる作業性の良い遠隔排水栓装置の取付構造を提供する。【解決手段】浴槽と、浴槽防水パンと、浴槽防水パンの開口部の下部に水密的に取り付けられる浴槽排水部と、排水栓部と遠隔操作部とワイヤー部とを備えた遠隔排水栓装置と、浴槽防水パンの開口を水密的に塞ぐことが可能であり、開口部が形成された蓋部材と、浴槽の前記排水口の裏側に予め水密的に取り付け固定され、浴槽を浴槽防水パン上に設置した際に、蓋部材の開口部を水密的に塞ぐことが可能な開口蓋部材と、を備え、浴槽に予め固定された状態で設置される開口蓋部材には、浴槽の排水口から排水される浴槽水を浴槽排水部内に導くとともに前記ワイヤー部が通るための第１の貫通孔部と、前記ワイヤー部が通るための第２の貫通孔部とが形成されていることを特徴とする。【選択図】図１
2010156180.tif 000002
【特許請求の範囲】
【請求項１】
槽体の底面部に排水口が形成された浴槽と、
前記浴槽の下部に配置され、前記排水口の直下に少なくとも一部が面する開口が形成された浴槽防水パンと、
前記浴槽防水パンの前記開口部の下部に水密的に取り付けられ、上部に開口を有する浴槽排水部と、
前記排水口を開閉するための排水栓部と、前記排水栓部を前記浴槽の上面部から遠隔操作するための遠隔操作部と、前記排水栓部と遠隔操作部とを連結するためのワイヤー部とを備えた遠隔排水栓装置と、
前記浴槽防水パンの開口を水密的に塞ぐことが可能であり、前記排水口の直下に少なくとも一部が面する開口部が形成された蓋部材と、
前記浴槽の前記排水口の裏側に予め取り付け固定され、前記浴槽を前記浴槽防水パン上に設置した際に、前記蓋部材の前記開口部を水密的に塞ぐことが可能な開口蓋部材と、を備え、
前記浴槽に予め固定された状態で設置される前記開口蓋部材には、前記浴槽の排水口から排水される浴槽水を前記浴槽排水部内に導くとともに前記ワイヤー部が通るための第１の貫通孔部と、前記ワイヤー部が通るための第２の貫通孔部とが形成されており、
前記浴槽が設置された状態における前記ワイヤー部は、前記排水栓側から向かって前記第１の貫通孔部、前記浴槽排水部内、第２の貫通孔部を順に通って前記遠隔操作部に接続されている
ことを特徴とする遠隔排水栓装置の取付構造。
【請求項２】
槽体の底面部に排水口が形成された浴槽と、
前記浴槽の下部に配置され、前記排水口の直下に少なくとも一部が面する開口部が形成された浴槽防水パンと、
前記浴槽防水パンの前記開口部の下部に水密的に取り付けられ、上部に開口を有する浴槽排水部と、
前記排水口を開閉するための排水栓部と、前記排水栓部を前記浴槽の上面部から遠隔操作するための遠隔操作部と、前記排水栓部と遠隔操作部とを連結するためのワイヤー部とを備えた遠隔排水栓装置と、
前記浴槽の前記排水口の裏側に予め取り付け固定され、前記浴槽を前記浴槽防水パン上に設置した際に、前記浴槽防水パンの前記開口部を水密的に塞ぐことが可能な開口蓋部材と、を備え、
前記浴槽に予め固定された状態で設置される前記開口蓋部材には、前記浴槽の排水口から排水される浴槽水を前記浴槽排水部内に導くとともに前記ワイヤー部が通るための第１の貫通孔部と、前記ワイヤー部が通るための第２の貫通孔部とが形成されており、
前記浴槽が設置された状態における前記ワイヤー部は、前記排水栓側から向かって前記第１の貫通孔部、前記浴槽排水部内、第２の貫通孔部を順に通って前記遠隔操作部に接続されている
ことを特徴とする遠隔排水栓装置の取付構造。
【請求項３】
前記第２の貫通孔部は、前記浴槽の底面部よりも水平方向にずれた位置に配置されていることを特徴とする請求項１または２記載の遠隔排水栓装置の取付構造。
【請求項４】
前記開口蓋部材には、前記浴槽を運ぶ際に前記ワイヤー部が当たることを防止するための下方に突出した保護部を備えていることを特徴とする請求項１〜３のいずれか１項に記載の遠隔排水栓装置の取付構造。
【請求項５】
前記保護部は、前記浴槽が設置された状態において、前記浴槽排水部内に配置されることを特徴とする請求項４記載の遠隔排水栓装置の取付構造。
【発明の詳細な説明】
【技術分野】
【０００１】
本発明の態様は、浴槽に取り付けられる遠隔排水栓装置の取付構造に関する。
【背景技術】
【０００２】
浴槽排水口を開閉するための排水栓を遠隔操作できるものが広く知られている。例えば、遠隔操作部とワイヤーと排水栓とを予め一体に組付けた後に、浴槽防水パン上に設置する方法がある。しかしながら、このような方法では、浴槽と浴槽防水パンとの間に、ワイヤーが動作するための間隔が必要となる。つまり、浴槽の据え付け高さが高くなり、結果、洗い場から浴槽へ移乗する際のまたぎ高さが大きくなるという問題がある。
【０００３】
他方、浴槽を設置した後に遠隔操作部とワイヤーと排水栓とを組み付ける方法がある。例えば、特許文献１では、浴槽を設置した後に、浴槽リム面に遠隔操作部分を取付け、操作部分にワイヤーを固定した後に、ワイヤーを浴槽排水口下のトラップ部中を通して排水栓に連結している。このような方法では、浴槽の据え付け高さを低くすることはできるが、浴槽を設置した後に、現場で遠隔操作部とワイヤーと排水栓とを接続する必要が生じるため作業性が悪くなるという問題がある。
【特許文献１】特開２０００−２２０１８７号公報
【発明の開示】
【発明が解決しようとする課題】
【０００４】
本発明の目的は、かかる課題の認識に基づいてなされたものであり、浴槽の下部に浴槽防水パンが配置される浴室ユニットにおいて、浴槽のまたぎ高さを低く抑えつつ、且つ遠隔排水栓装置のワイヤー部を予め浴槽に接続した状態で浴槽を設置できる作業性の良い遠隔排水栓装置の取付構造を提供することを目的とする。
【課題を解決するための手段】
【０００５】
本発明の一態様によれば、槽体の底面部に排水口が形成された浴槽と、前記浴槽の下部に配置され、前記排水口の直下に少なくとも一部が面する開口が形成された浴槽防水パンと、前記浴槽防水パンの前記開口部の下部に水密的に取り付けられ、上部に開口を有する浴槽排水部と、前記排水口を開閉するための排水栓部と、前記排水栓部を前記浴槽の上面部から遠隔操作するための遠隔操作部と、前記排水栓部と遠隔操作部とを連結するためのワイヤー部とを備えた遠隔排水栓装置と、前記浴槽防水パンの開口を水密的に塞ぐことが可能であり、前記排水口の直下に少なくとも一部が面する開口部が形成された蓋部材と、前記浴槽の前記排水口の裏側に予め取り付け固定され、前記浴槽を前記浴槽防水パン上に設置した際に、前記蓋部材の前記開口部を水密的に塞ぐことが可能な開口蓋部材と、を備え、前記浴槽に予め固定された状態で設置される前記開口蓋部材には、前記浴槽の排水口から排水される浴槽水を前記浴槽排水部内に導くとともに前記ワイヤー部が通るための第１の貫通孔部と、前記ワイヤー部が通るための第２の貫通孔部とが形成されており、前記浴槽が設置された状態における前記ワイヤー部は、前記排水栓側から向かって前記第１の貫通孔部、前記浴槽排水部内、第２の貫通孔部を順に通って前記遠隔操作部に接続されていることを特徴とする遠隔排水栓装置の取付構造が提供される。
【０００６】
また、本発明の一態様によれば、槽体の底面部に排水口が形成された浴槽と、前記浴槽の下部に配置され、前記排水口の直下に少なくとも一部が面する開口部が形成された浴槽防水パンと、前記浴槽防水パンの前記開口部の下部に水密的に取り付けられ、上部に開口を有する浴槽排水部と、前記排水口を開閉するための排水栓部と、前記排水栓部を前記浴槽の上面部から遠隔操作するための遠隔操作部と、前記排水栓部と遠隔操作部とを連結するためのワイヤー部とを備えた遠隔排水栓装置と、前記浴槽の前記排水口の裏側に予め取り付け固定され、前記浴槽を前記浴槽防水パン上に設置した際に、前記浴槽防水パンの前記開口部を水密的に塞ぐことが可能な開口蓋部材と、を備え、前記浴槽に予め固定された状態で設置される前記開口蓋部材には、前記浴槽の排水口から排水される浴槽水を前記浴槽排水部内に導くとともに前記ワイヤー部が通るための第１の貫通孔部と、前記ワイヤー部が通るための第２の貫通孔部とが形成されており、前記浴槽が設置された状態における前記ワイヤー部は、前記排水栓側から向かって前記第１の貫通孔部、前記浴槽排水部内、第２の貫通孔部を順に通って前記遠隔操作部に接続されていることを特徴とする遠隔排水栓装置の取付構造が提供される。
【発明の効果】
【０００７】
本発明の態様によれば、浴槽の下部に浴槽防水パンが配置される浴室ユニットにおいて、浴槽のまたぎ高さを低く抑えつつ、且つ遠隔排水栓装置のワイヤー部を予め浴槽に接続した状態で浴槽を設置できる作業性の良い遠隔排水栓装置の取付構造が提供される。
【発明を実施するための最良の形態】
【０００８】
以下、本発明の実施の形態を図面に基づいて詳細に説明する。
【０００９】
本発明におけるユニットバスは、洗い場床パンと、洗い場床パンに隣接して設置された浴槽防水パン１とを備える。洗い場床パンには、洗い場床パン上の排水を集水するための排水トラップが取り付けられている。また、浴槽防水パン１には、浴槽防水パン１上および浴槽２内の排水を集水する浴槽排水部３が取り付けられている。例えば、浴槽排水部３内の排水は、排水トラップに送水されるようになっている。
【００１０】
浴槽防水パン１上には、浴槽２が設置される。浴槽２は浴槽水を貯水するための内槽部２１と、内槽部２１の上端から外方側に延出形成されたフランジ部２２とが形成されている。また、内槽部２１の底面部には、浴槽水を排出するための排水口２３が形成されている。
【００１１】
浴槽防水パン１には、排水口２３の直下に開口１１が形成されている。この開口１１の下部には上部が開口した碗状の浴槽排水部３が浴槽防水パン１に水密的に取り付けられている。浴槽防水パン１に形成される開口１１は比較的大きく、少なくとも一部が浴槽２の底面部２４より外方側の位置まで形成されている。
【００１２】
浴槽防水パン１に形成された開口１１には蓋部材４がパッキンを介して水密的に取り付けられている。蓋部材４の上面には第３の貫通孔部４１と第４の貫通孔部４２とが形成されている。第４の貫通孔部４２には逆止弁が取り付けられており、浴槽防水パン１上の排水は浴槽排水部３内に導くことが可能であり、且つ浴槽排水部３内の排水が浴槽防水パン１上に逆流しないようになっている。詳細は後述するが、第３の貫通孔部４１には開口蓋部材５がパッキン５１を介して水密的に取り付けられる。また、第３の貫通孔部４１の少なくとも一部は、浴槽２の底面部２４より外方側の位置まで形成されている。
【００１３】
浴槽２には、排水口２３の開閉を遠隔操作するための遠隔排水栓装置６が取り付けられている。遠隔排水栓装置６は、排水口２３を水密的に閉口した状態と開口した状態とに切り替え可能な排水栓部６１と、排水栓部６１の開閉状態を浴槽２上部から操作するために浴槽２のフランジ部２２上に取り付けられた遠隔操作部６２と、排水栓部６１と遠隔操作部６２とを連結するためのワイヤー部６３と、ワイヤー部６３の端部に取り付けられ、メカボックスと言われる保持機構部６４とを備えている。
【００１４】
保持機構部６４は、遠隔操作部６２の動きに応じて、上昇位置と下降位置とを交互に保持可能な機構が備えられている。本実施形態のように、ワイヤー部６３の排水栓部６１側の端部に保持機構部６４が配設される場合は、保持機構部６４が上昇位置で保持されると、排水栓部６１も上昇位置で保持され、開栓した状態となり、下降位置で保持されると排水栓部６１も下降位置で保持され、閉栓した状態となる。尚、ワイヤー部６３の遠隔操作部６２側の端部に保持機構部６４を配設しても良い。
【００１５】
また、浴槽２の排水口２３の下部には、開口蓋部材５が取り付けられている。開口蓋部材５の上面には、第１の貫通孔部５２と第２の貫通孔部５３とが形成されている。第１の貫通孔部５２は、浴槽２の排水口２３から排水される浴槽水を通水する目的と、ワイヤー部６３を通す目的がある。浴槽２の排水口２３と第１の貫通孔５２とはコーキング処理によって水密的に連通するように開口蓋部材５は浴槽２に取り付けられる。他方、第２の貫通孔５３は、第１の貫通孔５２よりも遠隔操作部６２側のワイヤー部６３を通す目的があり、少なくとも一部が浴槽２の底面部２４より外方側の位置に形成されている。
【００１６】
また、搬送時や浴槽２設置時に遠隔排水栓装置６のワイヤー部６３が破損したり故障したりしないように、開口蓋部材５には、下方側に突出形成された壁状の保護部５４が設けられている。通常、ワイヤー部６３は排水栓部６１からＵ字状に屈曲するＵ字部６３１を介して遠隔操作部６２側に向かって配設されている。保護部５４の下端は、少なくともＵ字部６３１よりも下方側まで延設されており、浴槽２を床においても、ワイヤー部６３のＵ字部６３１が接触しないような形状となっている。また、保護部５４は、Ｕ字部６３１の全周を覆わず、一部の周部のみが覆われている。
【００１７】
さらに、開口蓋部材５と遠隔操作部６２との間に配設される部分のワイヤー部６３は、筒状に形成された保護チューブ７の内部に収容されている。このようにして、衝撃などで破損したり故障したりしやすいワイヤー部６３の全体を保護している。保護チューブ７の下端は、第２の貫通孔５３と水密的に接続されているため、浴槽防水パン１上に浴槽排水部３内の排水が逆流することがない。
【００１８】
以上の通り、遠隔排水栓装置６と開口蓋部材５とを予め工場で浴槽２と一体化することが可能となるため、現場でこれらをセットする場合に比べて品質を確保しやすくできる。
【００１９】
次に、遠隔排水栓装置６と開口蓋部材５とが予め取り付けられた浴槽２を、浴槽防水パン１上に設置した状態について説明する。
【００２０】
開口蓋部材５は、蓋部材４の第３の貫通孔部４１に対して水密的に取り付けられる。具体的には、開口蓋部材５の下面に周状に貼着されたパッキン５１を介して、蓋部材４に取り付けられている。このように水密的に取り付けられているため、浴槽排水部３内の排水が、浴槽防水パン１上に逆流することはない。
【００２１】
また、ワイヤー部６３のＵ字部６３１の大部分は、浴槽排水部３内に配置されることとなる。つまり、浴槽２が設置された状態におけるワイヤー部６３は、排水栓部６１側から向かって第１の貫通孔部５２、浴槽排水部３内、第２の貫通孔部５３を順に通って遠隔操作部６２側に接続されている。
【００２２】
さらに、保護部７がＵ字部６３１の一部のみを覆うように形成されているため、浴槽２の排水性能を向上させることが可能となる。
【００２３】
以上の通り、ワイヤー部６３のＵ字部６３１の略全体が浴槽防水パン１の下部に位置する浴槽排水部３内に配置されているため、浴槽２と浴槽防水パン１との高さ方向の間隔を狭めることができ、浴槽２のまたぎ高さを低く抑えることが可能となった。
【００２４】
次に、本発明の第２の実施形態について説明する。第２の実施形態は、予め浴槽２に取り付けられる開口蓋部材５に、浴槽防水パン１の開口１１を水密的に塞ぐ蓋部材４の役割も兼用させた点で第１の実施形体と相違する。つまり、第２の実施形体は、蓋部材４を具備していない。
【００２５】
本実施形態における開口蓋部材５には、第１の貫通孔部５２と第２の貫通孔部５３と第４の貫通孔部４２とが形成されている。第１の貫通孔部５２は、浴槽２の排水口２３から排水される浴槽水を通水する目的と、ワイヤー部６３を通す目的がある。浴槽２の排水口２３と第１の貫通孔部５２とはコーキング処理を施して水密的に連通するように開口蓋部材５は浴槽２に取り付けられる。一方、第２の貫通孔部５３は、第１の貫通孔部５２よりも遠隔操作部６２側のワイヤー部６３を通す目的があり、少なくとも一部が浴槽２の底面部２４より外方側の位置に形成されている。他方、第４の貫通孔部４２には逆止弁が取り付けられており、浴槽２設置状態において、浴槽防水パン１上の排水は浴槽排水部３内に導くことが可能であり、且つ浴槽排水部３内の排水が浴槽防水パン１上に逆流しないようになっている。
【００２６】
この開口蓋部材５は、浴槽防水パン１に形成された開口１１に対して、パッキンを介して水密的に取り付けられる。
【００２７】
上述した通り、第２の実施形態によれば、第１の実施形態に比べて構成パーツを少なくすることが可能になるという利点がある。
【００２８】
以上述べた通り、本発明によれば、浴槽２の下部に浴槽防水パン１が配置される浴室ユニットにおいて、浴槽２のまたぎ高さを低く抑えつつ、且つ遠隔排水栓装置６のワイヤー部６３を予め浴槽２に接続した状態で浴槽２を設置できる作業性の良い遠隔排水栓装置６の取付構造を提供することができる。
【図面の簡単な説明】
【００２９】
【図１】本発明に係る実施形態の取付構造を示す斜視図である。
【図２】本発明に係る実施形態の要部を示す断面斜視図である。
【図３】本発明に係る実施形態の要部を示す断面図である。
【図４】本発明に係る浴槽の要部を裏側からみた図である。
【図５】本発明に係る浴槽の要部の斜視図である。
【符号の説明】
【００３０】
１…浴槽防水パン、１１…開口、２…浴槽、２１…内槽部、２２…フランジ部、２３…排水口、２４…底面部、３…浴槽排水部、４…蓋部材、４１…第３の貫通孔部、４２…第４の貫通孔部、５…開口蓋部材、５１…パッキン、５２…第１の貫通孔部、５３…第２の貫通孔部、５４…保護部、６…遠隔排水栓装置、６１…排水栓部、６２…遠隔操作部、６３…ワイヤー部、６３１…Ｕ字部、６４…保持機構部、７…保護チューブ、
【図１】
2010156180.tif 000003
【図２】
2010156180.tif 000004
【図３】
2010156180.tif 000005
【図４】
2010156180.tif 000006
【図５】
2010156180.tif 000007